(57)【特許請求の範囲】
【請求項１】
カルチ爪を複数本並設してカルチ部を形成し、このカルチ部を牽引して畝の表面を中耕すると共に、該カルチ部の左右両側に畝間の溝部を耕耘耕土するロータリ爪を設けて成るカルチベータに於いて、
前記カルチベータのカルチ部はリンク機構部を介して上下動自在に設けられており、且つ、尾輪の上面に沿って下方へ屈曲されて成るメインビームと、該メインビームの先端に固着された分草ステーとを有して成ることを特徴とするカルチベータ。
【発明の詳細な説明】
【０００１】
【発明の属する技術分野】
本発明は、複数本のカルチ爪からなるカルチ部により畝の表面を中耕するカルチベータに関するものである。
【０００２】
【従来の技術】
従来のカルチベータとしては、例えば実開昭５３−２１９２４号、実開昭５４−５６３５号、実開昭５４−２７０３１号等の各公報記載の構成が知られており、何れも側面視略円弧形のカルチ爪を複数本並設してカルチ部を形成し、トラクタの後部にこのカルチ部を牽引して畝の表面を中耕するように形成されている。
【０００３】
また、畝間の溝部を耕耘したり、溝部の土壌を畝上へ排土する装置としては、実開昭６１−１５２２０５号公報記載のものが知られている。これは、回転するロータリ爪で溝部を耕耘し、該ロータリ爪によって飛散された土壌を土入れ装置から畝上へ放出するように形成されている。
【０００４】
【発明が解決しようとする課題】
従来は、畝の表面を中耕する作業と、畝の両側の溝部を耕耘排土する作業は、夫々専用の作業機によって各別に行っているため、作業工数が多くなっている。
【０００５】
そこで、この発明はこれらの作業を１台の作業機で同時に行うようにしたカルチベータに於いて、該カルチベータによる良好な中耕作業を効率良く実施することができるようにすることを目的とする。
【０００６】
【課題を解決するための手段】
本発明は上記目的を達成するために提案せられたものであり、カルチ爪を複数本並設してカルチ部を形成し、このカルチ部を牽引して畝の表面を中耕すると共に、該カルチ部の左右両側に畝間の溝部を耕耘耕土するロータリ爪を設けて成るカルチベータに於いて、前記カルチベータのカルチ部はリンク機構部を介して上下動自在に設けられており、且つ、尾輪の上面に沿って下方へ屈曲されて成るメインビームと、該メインビームの先端に固着された分草ステーとを有して成るカルチベータを提供するものである。
【０００７】
【発明の実施の形態】
以下、本発明の実施の形態を図面に従って詳述する。図１はカルチベータ１０の背面斜視図であり、メインツールバー１１の中央前面部に駆動入力部１２が設けられており、該駆動入力部１２に入力されたＰＴＯ動力は駆動軸１４から左右のチェーン伝動部１５，１５へ伝達される。
【０００８】
また、メインツールバー１１の中央後面部にリンク機構部１６を介してサブツールバー１７が装着されており、該サブツールバー１７に複数本のアーム１８を垂設し、夫々のアーム１８にカルチ爪１９を取り付けてカルチ部２０を形成する。
【０００９】
前記リンク機構部１６は図２に示すように、メインツールバー１１に取り付けられたブラケット２１と、サブツールバー１７に固着したブラケット２２とを等長のリンク２３，２４で連結して構成されている。従って、リンク２３，２４が平行に回動してカルチ部２０全体が一体的に上下動可能となっている。また、リンク２３の後部とリンク２４の前部間にバネ２５を介装し、このバネ２５によってカルチ部２０を下降方向へ付勢する。
【００１０】
図２及び図３に示すように、前記アーム１８の下端には後方へブラケット２６を突設するとともに、前方へステー２７を突設する。そして、ブラケット２６に側面視略円弧形のカルチ爪１９を上下移動調節自在に装着し、ステー２７に尾輪２８を枢着する。
【００１１】
尚、ボルト２９を弛緩すれば、複数のカルチ爪１９を夫々独立して上下させることができ、畝の凹凸に合わせてカルチ爪１９を各別に調整できる。また、図示は省略するが、リンク機構部を複数個設け、夫々のリンク機構部毎にカルチ爪１９を１つずつ装着してもよい。然るときは、各カルチ爪１９が夫々独立して上下に揺動し、畝の凹凸に追従していく。
【００１２】
更に、前記アーム１８から前方へメインビーム３０を突設し、その前部を尾輪２８に沿って下方へ屈曲させる。更に該メインビーム３０の先端には左右に分草ステー３１，３１を固着し、夫々の分草ステー３１，３１を尾輪２８の両側方へ湾曲させて配設する。
【００１３】
ここで、図２及び図４に示すように、前記リンク機構部１６のブラケット２１はメインツールバー１１にスライド自在に取り付けられており、該ブラケット２１の上部にステー３２を突設して雌螺子ピース３３を装着する。そして、メインツールバー１１に固設したスタンド３４へクランクハンドル３５の基端部を支持させ、該クランクハンドル３５の先端に雄螺子部３６を刻設して前記雌螺子ピース３３へ螺着する。
【００１４】
而して、該クランクハンドル３５を例えば右回転すれば前記雌螺子ピース３３がスタンド３４側へ引き寄せられ、ブラケット２１がメインツールバー１１に沿って左方向へスライドする。従って、図４の二点鎖線で示すように、リンク機構部１６を介してカルチ部２０全体が一体的に左側へ移動する。また、該クランクハンドル３５を左回転すれば、前述とは逆にカルチ部２０全体が一体的に右側へ移動する。
【００１５】
一方、図１に示すように、前記カルチ部２０の左右両側にロータリ爪３７が設けられており、前記チェーン伝動部１５から伝達された動力により回転駆動される。該ロータリ爪３７の回転によって畝３８の両側の溝部３９を耕耘し、土入れ装置４０の開口部４０ａから畝３８上へ土壌を放出するように形成してある。
【００１６】
而して、当該カルチベータ１０によって畝３８の表面を中耕する場合は、畝３８上に育成中の作物間に前記カルチ爪１９をセットし、ロータリ爪３７を回転駆動しながら該カルチベータ１０をトラクタで牽引する。前述したように、カルチ部２０は独立して上下調整可能であり、各カルチ爪１９の位置合わせは極めて容易に行える。
【００１７】
そして、カルチ爪１９によって畝３８が浅く耕起され、畝３８上の雑草を掘り起こして除去する。ここで、作物は前記メインビーム３０と分草ステー３１により左右へ振り分けられるので、作物が尾輪２８によって踏み付けられることはない。また、カルチ部２０は一体的に上下揺動可能であるので、畝３８の凹凸に追従して良好な中耕作業を行うことができる。尚、複数本並設されているカルチ爪１９のうち、少なくとも最外側に夫々尾輪２８を設けてあるので、カルチ部２０が安定的に畝３８を移動することができる。
【００１８】
そして、カルチ部２０による畝３８の中耕作業と同時に、ロータリ爪３７によって溝部３９の除草と畝３８への倍土を行うことにより、従来専用の作業機によって各別に行っていた作業を同時に行うことができるようになる。
【００１９】
尚、本発明は、本発明の精神を逸脱しない限り種々の改変を為すことができ、そして、本発明が該改変されたものに及ぶことは当然である。
【００２０】
【発明の効果】
以上、説明したように本発明は、カルチ部によって畝の表面を中耕するとともに、ロータリ爪によって畝間の溝部を耕耘排土して畝への倍土を行うため、１台の作業機で畝と溝部とを同時に作業できる。
【００２１】
而して、本発明は、特にカルチ部はリンク機構によって上下動自在に形成されると共に、尾輪に沿って下方へ屈曲されてなるメインビームと、該メインビームの先端に固着された分草ステーとを有して成るから、該カルチ部は一体的に上下動可能であり、依って、畝の凹凸に追従して中耕作業を為し、且つ、メインビームと分草ステーとによって作物は左右に振り分けられるので、該作物は尾輪によって踏み付けられることはなくなる。斯くして、本発明のカルチベータは良好な中耕作業を行うことができ、中耕作業の作業効率が著しく向上できる。
【図面の簡単な説明】
【図１】カルチベータの背面斜視図。
【図２】カルチ部の側面図。
【図３】図２のＡ−Ａ線矢視図。
【図４】カルチ部の背面図。
【符号の説明】
１０        カルチベータ
１６        リンク機構部
１９        カルチ爪
２０        カルチ部
３７        ロータリ爪
３８        畝
３９        溝部
【図１】
0003591069.tif 000002
【図２】
0003591069.tif 000003
【図３】
0003591069.tif 000004
【図４】
0003591069.tif 000005